(57)【要約】【課題】模擬文献と電子文献の頁数が異なる場合であっても、実文献と同様の感覚で頁送りができるようにする。【解決手段】電子頁送り装置１０は、実際の文献の頁毎の情報を電子情報化して電子情報の頁毎に記憶した電子文献を有して電子情報の頁毎に情報を表示する情報端末機１３に、実際の文献を模して複数枚のシートを備えた模擬文献１１の開かれた頁の頁数情報を報せて、情報端末機が頁数情報に対応する情報を表示できるようになっており、シート毎に設けられてシートの曲げ状態を検知するひずみゲージ２２を備えて、模擬文献の開かれた頁の頁数情報を各ひずみゲージの曲げ状態に応じて検知し、該頁数情報を情報端末機に報せるようになっている。【選択図】  図１
2004213150.tif 000002
【特許請求の範囲】
【請求項１】
実際の文献の頁毎の情報を電子情報化して電子情報の頁毎に記憶した電子文献を有して前記電子情報の頁毎に情報を表示する情報端末機に、実際の文献を模して複数枚のシートを備えた模擬文献の開かれた頁の頁数情報を報せて、前記情報端末機が前記頁数情報に対応する情報を表示できるようにした電子頁送り装置であって、
前記シート毎に設けられて前記シートの曲げ状態を検知する曲げ検知手段を備えて、前記模擬文献の開かれた頁の頁数情報を前記各曲げ検知手段の曲げ状態に応じて検知し、該頁数情報を前記情報端末機に報せることを特徴とする電子頁送り装置。
【請求項２】
前記模擬文献の開かれた頁までの電子文献の頁送り速度を、前記曲げ検知手段の曲げ量に応じて変えることができることを特徴とする請求項１に記載の電子頁送り装置。
【請求項３】
前記模擬文献の開かれた頁の頁数情報を、操作者を認識する識別番号として使用可能であることを特徴とする請求項１又は２に記載の電子頁送り装置。
【請求項４】
前記情報端末機に一体に組み込まれて携帯可能な請求項１乃至３のいずれか１項に記載の電子頁送り装置。
【発明の詳細な説明】
【０００１】
【発明の属する技術分野】
本発明は、電子化された文献の頁送りをする電子頁送り装置に関する。
【０００２】
【従来の技術】
従来、電子化された文献（以下、「電子文献」と言う）の頁送り、即ち電子文献の頁を進め、所定の頁を表示することは、マウスなどのポインティングデバイスによって行っていた。
【０００３】
しかし、実際の文献（以下、「実文献」と言う）における頁送りは、ぱらぱらと頁をめくることで行われているため、マウスなどを使用した頁送りには違和感があった。
【０００４】
このような違和感を解消した装置として、模擬的な文献（以下、「模擬文献」と言う）の各頁に電極を埋め込み、電極の位置が変わることによって頁情報を検出し、頁送りを行うページめくり情報入力装置がある（例えば、特許文献１）。
【０００５】
【特許文献１】
特開平６−３４８４００号公報（図２参照）
【０００６】
【発明が解決しようとする課題】
しかし、従来のページめくり情報入力装置は、電極の位置によって頁の検出を行っているが、電極を正確に所定の位置に合わせるのは困難であった。また、電子文献の頁数が模擬文献の頁数を上回ったときには、上回った分だけ頁めくり動作を数回繰り返すことで頁送りをしなければならない。これは、実文献の操作とは異なった操作であり、実文献に近い操作性を持つという装置の有効性を損なっていた。
【０００７】
本発明は、模擬文献各頁の位置を正確に合わせることなしに、電子文献の頁送りを容易かつ正確に行うことができる電子頁送り装置を提供することを目的としている。
【０００８】
本発明は、模擬文献と電子文献の頁数が異なる場合であっても、実文献と同様の感覚で頁送りができる電子頁送り装置を提供することを目的としている。
【０００９】
本発明は、模擬文献の頁をめくることなく頁送りを行う電子頁送り装置を提供することを目的としている。
【００１０】
【課題を解決するための手段】
上記目的を達成するため、本発明の電子頁送り装置は、実際の文献の頁毎の情報を電子情報化して電子情報の頁毎に記憶した電子文献を有して前記電子情報の頁毎に情報を表示する情報端末機に、実際の文献を模して複数枚のシートを備えた模擬文献の開かれた頁の頁数情報を報せて、前記情報端末機が前記頁数情報に対応する情報を表示できるようになっており、前記シート毎に設けられて前記シートの曲げ状態を検知する曲げ検知手段を備えて、前記模擬文献の開かれた頁の頁数情報を前記各曲げ検知手段の曲げ状態に応じて検知し、該頁数情報を前記情報端末機に報せるようになっている。
【００１１】
本発明の電子頁送り装置は、前記模擬文献の開かれた頁までの電子文献の頁送り速度を、前記曲げ検知手段の曲げ量に応じて変えることができることを特徴とする。
【００１２】
本発明の電子頁送り装置は、前記模擬文献の開かれた頁の頁数情報を、操作者を認識する識別番号として使用可能である。
【００１３】
本発明の電子頁送り装置は、前記情報端末機に一体に組み込まれて携帯可能である。
【００１４】
【発明の実施の形態】
以下、本発明の実施形態の電子頁送り装置を図に基づいて説明する。
【００１５】
電子情報表示装置１０は、各頁の曲げを検知して出力する模擬文献１１と、開かれた頁を判断し、情報端末機１３に頁情報を送出する制御部１２と、電子文献を蓄積し、制御部１２からの頁情報に該当する頁を表示する情報端末機１３とを電気的に接続して構成されている。すなわち、電子情報表示装置１０は、実文献と同様の感覚でぱらぱらと頁をめくることができる模擬文献１１と、各頁の曲げをひずみとして検出する曲げ検知手段である例えばひずみゲージ２２と、このひずみゲージ２２から開かれた頁を判断する制御部１２と、制御部１２が判断した頁の情報を表示する情報端末機１３とを備えている。そして、制御部１２は、模擬文献１１の頁数と電子文献の頁数を比較し、電子文献の全頁を模擬文献の頁に対応させることができるようになっている。
【００１６】
図２は、模擬文献１１の斜視図である。模擬文献１１は、実際の文献である実文献を模して形成されている。模擬文献１１は、所定の場所にひずみゲージ２２を貼付した弾性のある薄い樹脂シート２６を複数枚、１辺で綴じ合わせて本のように形成してある。このため、模擬文献１１は、実文献を頁送りするときと同様に、「ぱらぱら」と樹脂シート２６をめくることができるようになっている。各ひずみゲージ２２は、電気的に制御部１２に接続してある。各ひずみゲージ２２と制御部１２の構成は、電子頁送り装置の一例である。
【００１７】
次に、電子情報表示装置１０の動作原理を説明する。図２において、模擬文献１１は、開かれたとき、綴じ合わせた部分近くの符号２５で示す部分が湾曲して曲がるようになっている。仮に、開いた模擬文献１１の左側の樹脂シート２３を正の曲がり、右側の樹脂シート２１を負の曲がりとする。この曲がりは、樹脂シート２６毎に貼り付けたひずみゲージ２２のひずみ具合によって検知される。
【００１８】
制御部１２は、模擬文献１１の各頁に貼り付けられたひずみゲージ２２からの曲がり情報を最初の頁から順次受信する。制御部１２は、同時に受信した信号に基づき頁数も計数する。次に、制御部１２は、検出された模擬文献１１の各頁の曲げ情報を、隣接する２頁で比較して、その２頁が開かれた部分であるか否かを判断する。図２に示す状態において、制御部１２は、模擬文献１１の左側の樹脂シート２３と右側の樹脂シート２１との正負を比較する。両方の頁は曲げ方向が正負逆になっているため、制御部１２は、この差異をもって符号２３の指し示す左側の樹脂シート頁が開かれていると判断する。
【００１９】
また、制御部１２は、右側の符号２１，２４で示す樹脂シート同士を比較する。樹脂シートの曲げの方向が同一であるので、制御部１２は、符号２１で指し示す樹脂シートの頁は開かれていないと判断する。制御部１２は、模擬文献１１の頁が開かれたと判断した場合、計数した頁番号を情報端末機１３に送出する。情報端末機１３では、制御部１２から受信した頁番号に対応する電子文献の頁の情報を表示する。
【００２０】
これら一連の処理は、操作者が模擬文献１１をめくる操作とは関係なく、自動的に繰り返して行われる。電子情報表示装置は、模擬文献１１の最終頁まで処理が終了した場合、再び最初の頁から処理を継続する。
【００２１】
（第１実施形態の電子情報表示装置）
第１実施形態の電子情報表示装置は、模擬文献の頁数と電子文献の頁数とが同一である。
【００２２】
図３は、第１実施形態の電子情報表示装置の制御のフローチャートである。プログラムを開始すると、制御部１２は、模擬文献の初めの頁を前頁、２頁目を現頁とする初期設定を行う（Ｓ３１）。次に、制御部１２はひずみゲージ２２の曲げの検出を行う（Ｓ３２）。制御部１２は、ひずみゲージ２２のひずみ方向に基づいて模擬文献の前頁と現頁の曲げ方向を比較する（Ｓ３３）。同方向である場合、制御部１２は、その頁が開かれていないとみなして、Ｓ３５の処理に移る。異方向である場合、制御部１２は、その頁が開かれていると判断する。情報端末機１３は該当頁の情報を表示する（Ｓ３４）。
【００２３】
その後、制御部１２は、操作者が模擬文献１１をめくっているか否かを判断する（Ｓ３５）。制御部１２は、操作者が模擬文献１１をめくるのを終了していると判断した場合、プログラムを終了する。制御部１２は、操作者が模擬文献１１をめくるのを終了していないと判断した場合、操作者が模擬文献１１を最終頁までめくる操作を行ったか否かの判断をする（Ｓ３６）。制御部１２は、模擬文献１１が最終頁であるとき、模擬文献１１と電子文献のスタート頁に戻る処理を行う（Ｓ３８）。最終頁でない場合、模擬文献１１と電子文献の現頁を前頁に、次頁を現頁としてから（Ｓ３７）、再び、Ｓ３２の処理に戻る。
【００２４】
（第２実施形態の電子情報表示装置）
第２実施形態の電子情報表示装置は、模擬文献の頁数が電子文献の頁数より多い。
【００２５】
図４は、第２実施形態の電子情報表示装置の制御のフローチャートである。第１実施形態の電子情報表示装置は、実文献と同様の感覚で電子文献の頁送りを行うことができるが、模擬文献１１の頁数と電子文献の頁数とが必ずしも一致していないことがある。
【００２６】
模擬文献の頁数が電子文献に比べて多い場合には図４の処理を行う。プログラムを開始すると、制御部１２は、模擬文献の初めの頁を前頁、２頁目を現頁とする初期設定を行う（Ｓ４１）。制御部１２は、ひずみゲージ２２のひずみ方向に基づいて前頁と現頁の曲げの方向を比較する（Ｓ４３）。現頁の曲げ方向が前頁と同方向である場合、制御部１２は、その頁が開かれていないとみなして、Ｓ４５の処理に移る。異方向である場合、制御部１２は、その頁が開かれていると判断する。情報端末機１３は該当頁の情報を表示する（Ｓ４４）。
【００２７】
その後、制御部１２は、操作者が模擬文献１１をめくっているか否かを判断する（Ｓ４５）。制御部１２は、操作者が模擬文献１１をめくっていないと判断した場合、プログラムを終了する。制御部１２は、操作者が模擬文献１１をめくるのを終了していないと判断した場合、電子文献が最終頁であるか否かを判断する（Ｓ４６）。
【００２８】
制御部１２は、電子文献が最終頁であると判断したとき、最終頁を知らせるブザー１４を鳴らして、操作者に電子文献が最終頁であることを伝える（Ｓ４８）。制御部１２は、電子文献の最初の頁に戻す（Ｓ４９）。電子文献１１の頁が最終頁でない場合、制御部１２は、模擬文献と電子文献との現頁を前頁に、次頁を現頁として（Ｓ４７）で再びＳ４２の処理に移る。以後、操作者は、ブザーが鳴動する前の頁までを頁めくりすればよい。
【００２９】
（第３実施形態の電子情報表示装置）
第３実施形態の電子情報表示装置は、模擬文献の頁数が電子文献に比べて少ない。
【００３０】
図５は、第３実施形態の電子情報表示装置における制御のフローチャートである。大まかな頁数までは１回の頁めくりに対し、電子文献の数頁単位で頁めくりを行い、細部の頁を参照する際には模擬文献の１回の頁めくりに対し、電子文献の１頁単位で頁めくりを行う処理を行う。
【００３１】
スタート後、制御部１２は、模擬文献の初めの頁を前頁、２頁目を現頁とする初期設定を行う（Ｓ５１）。次に、制御部１２は、模擬文献と電子文献の頁数から、模擬文献の１頁につき電子文献の何頁を割り当てるかを算出し、圧縮率とする（Ｓ５２）。制御部１２はひずみゲージ２２の曲げの検出を行う（Ｓ５３）。制御部１２は、ひずみゲージ２２のひずみ方向に基づいて前頁と現頁の曲げ方向を比較する（Ｓ５４）。同方向である場合、制御部は、Ｓ５９に処理を移る。異方向の場合には、制御部１２は、頁めくり停止時間の測定を行う（Ｓ５５）。一定時間頁めくりを停止している場合、制御部１２は、フラグを立て（Ｓ５Ｄ）、圧縮を解除し（Ｓ５Ｅ）、現在の頁番号を記憶しておく（Ｓ５Ｆ）。
【００３２】
Ｓ５５で停止がない場合、制御部１２は、フラグの有無を判断する（Ｓ５６）。フラグが立っている場合、制御部１２は、圧縮が解除された状態の頁めくりであると判断して、Ｓ５Ｆの処理で記憶されている頁番号に、新たにめくった頁を加減算することにより、頁数を割り出す（Ｓ５Ｃ）。フラグが立っていない場合、制御部１２は、現在の頁番号に圧縮率を乗算したものを頁番号とする（Ｓ５７）。
【００３３】
そして、制御部１２は、情報端末機に該当頁の情報を表示する（Ｓ５８）。制御部は、操作者が終了操作を行ったか否かを判断する（Ｓ５９）。終了操作を行った場合は、プログラムは終了する。終了操作を行っていない場合、制御部は、模擬文献の最終頁であるかを判断し（Ｓ５Ａ）、最終頁の場合にはフラグをＯＦＦにし（Ｓ５Ｇ）、模擬文献を最初の頁の処理に戻る（Ｓ５Ｈ）。最終頁でない場合には、模擬文献と電子文献の現頁を前頁に、次頁を現頁として（Ｓ５Ｂ）再びＳ５３の処理に移る。
【００３４】
以上の各電子情報表示装置は、模擬文献の頁数＝電子文献の頁数、模擬文献の頁数＞電子文献の頁数、模擬文献の頁数＜電子文献の頁数の、いずれかの場合においても頁めくりができるようになっているが、１台の電子情報表示装置ですべての場合を選択的に行えるようにしてもよい。すなわち、１つの電子頁送り装置で、すべての場合に対応できるようにしてもよい。
【００３５】
図６は、上記実施形態で説明した電子情報表示装置の模擬文献、制御部、情報端末機を一体化した携帯型の電子情報表示装置の斜視図である。携帯型の電子情報表示装置６０は、情報端末機６１の一部分に模擬文献６３を組み込み、表示部６２に開かれた頁の情報を表示することができるようになっている。これによって、携帯端末に電子頁送り装置を組み込むことによって、可搬性が向上し、屋外でも電子文献を参照することができるようになる。
【００３６】
また、以上の実施形態の電子情報表示装置は、模擬文献１頁に対して電子文献を１頁あるいは複数頁を対応させていたが、模擬文献を曲げつづけている間、電子文献の頁を送りつづけることもできるようにしてもよい。図７は、模擬文献を曲げた状態の一部分を示す図である。模擬文献１１，６３が図７（ａ）に示すように曲げが少ない状態から、図７（ｂ）に示す曲げが多い状態に変化させることによって、電子文献の頁送り速度が変わるようにしてもよい。例えば、模擬文献１１，６３が図７（ａ）に示す状態にある間、電子文献の頁が１秒間にｎ頁ずつ送られるとすると、図７（ａ）に示すように曲げの度合いを増すと１秒間に２ｎ頁ずつ送られるようにしてもよい。この場合、模擬文献１１，６３を逆方向に曲げることによって、頁送り方向を逆転させるようにしてもよい。これによって、模擬文献の頁をめくらなくても、模擬文献を曲げるという一動作のみで、頁送りを行うことができる。
【００３７】
また、模擬文献の頁めくりを個人の認証手段に利用することもできる。例えば、右に５頁めくり、左に７頁めくるという動作を電子情報表示装置の使用時においてパスワードとすることができる。頁めくり動作を個人の認証手段とすることにより、電子情報表示装置の不正使用を防ぐことができる。
【００３８】
【発明の効果】
本発明の電子頁送り装置は、情報端末機内の電子文献を、実文献と同様の操作で自由に頁送りをすることができる。電子文献の頁数が模擬文献の頁数に合致しない場合でも、電子文献の頁送りを行うことができる。
【図面の簡単な説明】
【図１】本発明の実施形態の電子頁送り装置を備えた電子情報表示装置の概略図である。
【図２】模擬文献の斜視図である。
【図３】第１実施形態の電子情報表示装置（模擬文献の頁数＝電子文献の頁数）における頁送りフローチャートの図である。
【図４】第２実施形態の電子情報表示装置（模擬文献の頁数＞電子文献の頁数）における頁送りフローチャートの図である。
【図５】第３実施形態の電子情報表示装置（模擬文献の頁数＜電子文献の頁数）における頁送りフローチャートの図である。
【図６】携帯型の電子情報表示装置の斜視図である。
【図７】模擬文献を曲げて電子文献の頁送りをする場合の説明用の図である。
（ａ）  模擬文献の曲げが緩やかな状態
（ｂ）  模擬文献の曲げが急である状態
【符号の説明】
１０      電子情報表示装置
１１      模擬文献
１２      制御部（電子頁送り装置）
１３      情報端末機
１４      ブザー
２１      模擬文献の右側の樹脂シート
２２      ひずみゲージ（曲げ検知手段）
２３      模擬文献の左側の樹脂シート
２４      模擬文献の右側の樹脂シート
２５      曲がりが発生する箇所
２６      樹脂シート
６１      情報端末機
６２      表示部
６３      模擬文献
【図１】
2004213150.tif 000003
【図２】
2004213150.tif 000004
【図３】
2004213150.tif 000005
【図４】
2004213150.tif 000006
【図５】
2004213150.tif 000007
【図６】
2004213150.tif 000008
【図７】
2004213150.tif 000009